(57)【特許請求の範囲】
【請求項１】
電源オフ機能が割り当てられたスイッチに対する操作に応じて電源がオフする電子体温計であって、
前記スイッチに対するユーザ操作を検出する検出手段と、
前記検出手段によって検出された前記スイッチに対するユーザ操作の状態に基づいて、電源オフ操作が行われているか否かを判定する判定手段と、
前記判定手段により電源オフ操作であると判定された場合に、電源オフの操作中であることを示す特定の表示を開始する表示手段と、
前記検出手段によって、前記スイッチに対する前記ユーザ操作が第１の所定時間にわたって継続して検出されると、当該電子体温計の電源をオフ状態とする制御手段とを備え、
前記スイッチには電源オフ機能と他の機能が割り当てられ、
前記判定手段は、前記検出手段による前記ユーザ操作の検出が前記第１の所定時間よりも短い第２の所定時間にわたって継続した場合に、電源オフ操作が行われていると判定し、前記検出手段によって前記ユーザ操作が継続して検出された期間が前記第２の所定時間よりも短い場合には、前記スイッチに対する当該操作が前記スイッチに割り当てられた前記他の機能を指示するものであると判定することを特徴とする電子体温計。
【請求項２】
前記表示手段は、前記検出手段によって前記ユーザ操作が継続して検出された期間が前記第２の所定時間以上であり、且つ、前記第１の所定時間未満であった場合には、前記特定の表示を停止して通常の表示状態に戻り、
前記スイッチに対する操作は無視されることを特徴とする請求項１に記載の電子体温計。
【請求項３】
前記表示手段は、前記スイッチに対する前記ユーザ操作が継続する間、時間の経過にともなって前記特定の表示の表示内容を異ならせていくことを特徴とする請求項１または２に記載の電子体温計。
【請求項４】
体温計測の履歴をグラフ表示する表示エレメントを更に備え、
前記特定の表示は時間の経過に伴ってインジケータが減少していくものであり、前記表示手段は前記表示エレメントを用いて前記特定の表示を行うことを特徴とする請求項３に記載の電子体温計。
【請求項５】
電源オフ機能が割り当てられたスイッチに対する操作に応じて電源がオフする電子体温計の制御方法であって、
前記スイッチに対するユーザ操作を検出する検出工程と、
前記検出工程によって検出された前記スイッチに対するユーザ操作の状態に基づいて、電源オフ操作が行われているか否かを判定する判定工程と、
前記判定工程により電源オフ操作が行われていると判定された場合に、電源オフの操作中であることを示す特定の表示を開始する表示工程と、
前記検出工程によって、前記スイッチに対する前記ユーザ操作が第１の所定時間にわたって継続して検出されると、当該電子体温計の電源をオフ状態とする制御工程とを備え、
前記スイッチには電源オフ機能と他の機能が割り当てられ、
前記判定工程では、前記検出工程による前記ユーザ操作の検出が前記第１の所定時間よりも短い第２の所定時間にわたって継続した場合に、電源オフ操作が行われていると判定し、前記検出工程によって前記ユーザ操作が継続して検出された期間が前記第２の所定時間よりも短い場合には、前記スイッチに対する当該操作が前記スイッチに割り当てられた前記他の機能を指示するものであると判定することを特徴とする電子体温計の制御方法。
【発明の詳細な説明】
【技術分野】
【０００１】
本発明は電子体温計及びその制御方法に関する。
【背景技術】
【０００２】
使用者の体温を計測する電子体温計として、水銀体温計の形状を踏襲した、細長い棒状の先端部に感温部を備えた電子体温計が一般的に知られている。また、電子体温計には、体温計測結果を表示する表示部が設けられるほか、電源のオンオフを行うためのスイッチが設けられる場合もある。
【０００３】
また、女性の基礎体温を計測するための体温計に電子体温計を応用したもの（以下、女性体温計と称する）も一般に知られている。使用者は、計測した基礎体温を長期にわたって記録することにより、自身の高温相と低温相の周期を知ることができる。したがって、女性体温計には、基礎体温等を記録するためのメモリが設けられており、トレンドグラフを作成・表示させることが可能となっている。
【０００４】
上述のような婦人体温計は、カレンダー機能、トレンドグラフの表示機能、メモ登録機能といった種々の機能を有しており、通常の電子体温計に比べて多機能である。そのため、体温計本体にはこれらの機能に対応した複数の操作スイッチが設けられることになる。婦人体温計は、たとえば口にくわえて舌下の温度を計測するため、体温計本体の大きさや形状は、そのような使用形態を可能とするために制約を受けることになる。したがって、上述した複数の操作スイッチは、きわめて制約された大きさ及び形状の体温計本体に設けられることになる。
【０００５】
そのような操作スイッチの一つに電源をオン、オフするための操作スイッチ（以下、電源スイッチ）がある。一般に、電源のオン、オフに関しては、使用者が電子体温計（女性体温計）を操作中に誤って電源スイッチに触れても電源がオフしてしまうことのないように、所定時間にわたって電源スイッチに対する操作が継続したことを確認してから電源をオフするようになっている。たとえば、一般的な電子体温計では、電源スイッチに対する押下操作が２秒間継続した場合（いわゆる「長押し」が行われた場合）に、女性体温計の電源をオフするというように構成されている。
【先行技術文献】
【特許文献】
【０００６】
【特許文献１】特開２００７−６８８３９号公報
【発明の概要】
【発明が解決しようとする課題】
【０００７】
しかしながら、電源スイッチを操作しても直ちに電子体温計（女性体温計）の電源がオフされないことから、使用者が電源オフを目的として当該電源スイッチを操作した場合には使用者に戸惑いを与える可能性がある。特に、一つの操作スイッチに複数の機能が割り当てられ、それら機能の一つとして電源オフの機能が含まれるような場合には、所定時間にわたって操作を継続する間、ほんとうに電源オフのための操作が行えているのか否かに関して使用者は不安を覚えてしまう。
【０００８】
他方、電源オフ操作に応答して直ちに女性体温計の電源をオフするようにすれば、上述のような誤操作による電源オフを防止できなくなる。特に、電源オフを含む複数の機能が一つの操作スイッチに割り当てられるような場合には、意図しない電源オフが発生する可能性は大であり、操作性が劣化する。したがって、電源オフのために電源スイッチの長押しを要求する電子体温計において、ユーザが電源スイッチを長押ししていることを認識できるようにすることは重要なことである。
【０００９】
本発明は、上記の課題に鑑みてなされたものであり、所定時間の継続的な操作を必要とする電源オフ操作において、電源オフ操作が正しく行われているかが把握できないことに起因したユーザの不安感を解消することを目的とする。また、本発明の他の目的は、電源オフ操作をユーザに行わせるのに適した表示を、部品数やコストの上昇を招くことなく実現することを目的とする。
【課題を解決するための手段】
【００１０】
上記の目的を達成するための本発明の一態様による電子体温計は以下の構成を備える。すなわち、
電源オフ機能が割り当てられたスイッチに対する操作に応じて電源がオフする電子体温計であって、
前記スイッチに対するユーザ操作を検出する検出手段と、
前記検出手段によって検出された前記スイッチに対するユーザ操作の状態に基づいて、電源オフ操作が行われているか否かを判定する判定手段と、
前記判定手段により電源オフ操作であると判定された場合に、電源オフの操作中であることを示す特定の表示を開始する表示手段と、
前記検出手段によって、前記スイッチに対する前記ユーザ操作が第１の所定時間にわたって継続して検出されると、当該電子体温計の電源をオフ状態とする制御手段とを備え、
前記スイッチには電源オフ機能と他の機能が割り当てられ、
前記判定手段は、前記検出手段による前記ユーザ操作の検出が前記第１の所定時間よりも短い第２の所定時間にわたって継続した場合に、電源オフ操作が行われていると判定し、前記検出手段によって前記ユーザ操作が継続して検出された期間が前記第２の所定時間よりも短い場合には、前記スイッチに対する当該操作が前記スイッチに割り当てられた前記他の機能を指示するものであると判定する。
【発明の効果】
【００１１】
本発明によれば、所定時間の継続的な操作を必要とする電源オフ操作において、電源オフ操作が正しく行われているかが把握できないことに起因したユーザの不安感を解消することができる。
【図面の簡単な説明】
【００１２】
【図１】本発明の一実施形態に係る女性体温計の外観構成を示す図である。
【図２】女性体温計のシステム構成を示す図である。
【図３】女性体温計の表示部の表示内容を示す図である。
【図４】実施形態の女性体温計における電源オフ時の処理を示すフローチャートである。
【図５】電源オフ操作時における表示部の表示内容を説明する図である。
【発明を実施するための形態】
【００１３】
以下、本発明の各実施形態について図面を参照しながら説明する。
【００１４】
［第１の実施形態］
１．女性体温計の外観構成
図１は、本発明の一実施形態に係る女性体温計１００の外観構成を示す図である。図１において、１０１は、耐衝撃性、耐薬品性を備えた合成樹脂によって形成された本体ケースであり、後述する演算制御部や、ブザー部、電池（電源部）等が収納されている。
【００１５】
１０２はステンレス製の金属キャップであり、内部にはサーミスタ（後述）等の温度計測部が接着剤により固定して収納されている（つまり、金属キャップ１０２は、サーミスタに対して体温（温度）を伝熱させるとともに、サーミスタを外部の衝撃等から保護する役割を担っている）。
【００１６】
１０３は表示画面であり、数字・文字・図形（キャラクター、アイコン等）を表示可能な、ドットマトリックス液晶部等により構成されている。なお、表示画面１０３に表示される表示内容の詳細は図３により後述する。本体ケース１０１上には、更に、表示画面１０３上に表示された表示内容に基づいて、女性体温計１００に各種指示を入力するための操作スイッチとしての入力ボタン１０４が設けられている。
【００１７】
入力ボタン１０４は、表示画面１０３上に表示されたメニュー項目等の選択対象が選択状態にあることを示す識別子（カーソル）を移動させるための指示（移動指示）を与える左ボタン１１１、右ボタン１１２を備える。また、カーソルの移動先の選択対象について、設定値を変更したりするための指示（変更指示）を与える上ボタン１２１、下ボタン１２２を備える。更に、カーソルの移動先の選択対象（またはカーソルの移動先の選択対象ついて、変更された設定値）を決定するための決定ボタン１３０を備える。なお、決定ボタン１３０は、女性体温計１００の電源ＯＮ／ＯＦＦスイッチとしての役割も担っている。すなわち、本実施形態は、十字ボタンと決定ボタンで構成された入力ボタン１０４により女性体温計の各機能を操作可能とし、且つ決定ボタンに電源操作機能を持たせることで、操作性を向上するとともにスイッチの数を減少させている。
【００１８】
さらに、図示しないが、女性体温計１００には、パーソナルコンピュータ（ＰＣ）などをホストとして接続するための外部通信部（コネクタ等を含む）も備えられている。また、定時測定を促すための目覚まし機能も備えられており、別途設定された時刻になると目覚まし音を鳴らしてユーザに体温測定を促すよう構成されているものとする。
【００１９】
２．女性体温計のシステム構成
次に、女性体温計１００のシステム構成について図２を参照しながら説明する。図２は、女性体温計１００のシステム構成を示す図である。
【００２０】
図２に示すように、女性体温計１００は、温度を計測しそれをデジタル値として出力する温度計測部２１０と、計測された温度から予測温度を演算すると共に女性体温計１００全体を制御する演算制御部２２０と、測定結果を表示する、バックライト用のＬＥＤ２３１および表示画面１０３を備えた表示部２３０と、目覚まし音等の音声を出力するブザー部２４０と、ユーザからの操作を受け付ける入力部２５０と、各部に電源を供給する電源部２６０とを備える。
【００２１】
温度計測部２１０は、並列に接続された感温部に設置されたサーミスタ及びコンデンサと、測温用ＣＲ発振回路とから構成され、サーミスタの温度に対応するカウンタ２２６のカウント量の変化に従い、温度をデジタル量として出力する。なお、温度計測部２１０の構成は一例であって、これに限定されるものではない。
【００２２】
演算制御部２２０は、１日１回の計測から得られた測定値（基礎体温データ）及び入力部２５０により入力された各種入力値を日付及び時刻と対応付けて所定日数分（例えば２４０日分）記憶するとともに、月経周期ごと（生理初日から次の生理初日の前日まで）の中間データ等を一時記憶するＲＡＭ２２３と、体温測定に必要なパラメータや予測式プログラム等を格納したＲＯＭ（コンピュータ読取可能な記憶媒体）２２２と、時刻及び日付を管理するタイマ２２４とを備える。更に、演算制御部２２０は、表示部２３０を制御するための表示制御部２２７と、測温用ＣＲ発振回路の発振信号をカウントするカウンタ２２６と、ＲＯＭ２２２の予測式プログラムに従い予測演算等を行う演算処理部２２１とを備える。更に、カウンタ２２６や演算処理部２２１、表示制御部２２７を制御する制御回路２２５を備える。なお、測定値などを記憶する一時記憶領域には、不揮発性の書き換え可能メモリを用いるようにしてもよい。
【００２３】
入力部２５０には、上述した左ボタン１１１、右ボタン１１２、上ボタン１２１、下ボタン１２２、決定ボタン１３０などが含まれ、ユーザからの各種指示を受け付ける。
【００２４】
３．表示部の表示内容
次に、女性体温計１００の表示画面１０３に表示される表示内容について説明する。図３は、女性体温計１００の表示画面１０３に表示される表示内容を示す図である。図３において、３０１は女性体温計１００の各種機能を選択するための選択機能表示領域である。選択機能表示領域３０１に表示された各絵文字（アイコン）は、左から順に、メモ入力機能、次回生理日表示機能、次回排卵日表示機能、目覚まし時刻設定機能、音量設定機能、時刻設定機能を選択するためのアイコンである。
【００２５】
３０２はメモ入力機能が選択された際に、入力されるメモ内容を選択するための選択メモ表示領域である。選択メモ表示領域３０２に表示された各絵文字（アイコン）は、左から順に、生理日、生理痛、性交、飲薬、発熱、おりものを示すアイコンである。
【００２６】
３０３は測定データ表示領域であり、測定された体温データを表示したり、過去の所定日数分の体温データをトレンドグラフとして表示したりする。
【００２７】
３０４は設定情報表示領域であり、目覚まし時刻設定機能や音量設定機能等を用いてユーザが設定した設定内容を表示する。なお、本実施形態に係る女性体温計１００では、音量設定機能を用いて音量を設定する際に、音量を変更するための操作を行った場合、当該操作を行ったタイミングで、変更後の音量による音声が出力されるよう構成されているものとする。このように、変更した音量を、実際にユーザがその場で視聴できる構成とすることで、ユーザは最適な音量設定を行うことが可能となる。
【００２８】
３０５は現在日時表示領域であり、現在の日付（年月日）または時刻（時分）が表示される。３０６は内部状態表示領域であり、女性体温計１００の内部状態を示す情報（例えば、電池の残量等）が表示される。３０７は過去の体温計測値の履歴をグラフ表示するための表示エレメントである。
【００２９】
なお、女性体温計１００の各種機能のうち、メモ入力機能、次回生理日表示機能、次回排卵日表示機能等については、例えば、上記特許文献１に既に開示されているため、ここでは説明を省略し、以下では、本実施形態に係る女性体温計１００の特徴的な機能である、電源オフ操作時の処理について詳説する。
【００３０】
４．電源オフ操作時の処理について
図４は、本実施形態の女性体温計１００による電源オフ操作時の処理を説明するフローチャートである。図４に示されるフローチャートでは、通常画面が表示されている状態から電源オフ操作が行われた際の処理が示されている。なお、通常画面とは、女性体温計１００における、体温計測前後の表示や、トレンド表示等、以下で説明する電源オフ操作中であることを示す表示以外の表示を指すものとする。また、上述したように、本実施形態の決定ボタン１３０には、メニュー選択などの決定操作機能に加えて、電源オフ機能が割り当てられているものとする。本実施形態の女性体温計では、電源オフ機能が割り当てられたスイッチ（決定ボタン１３０）に対する第１の所定時間（たとえば、２．５秒）にわたる押下操作の継続（所謂、長押し）が検出されることにより電源がオフされる。
【００３１】
ステップＳ４０１において、演算処理部２２１は、通常画面を表示するとともに、入力部２５０（入力ボタン１０４）を介したユーザ操作を受け付ける。そして、ステップＳ４０２において、決定ボタン１３０の押下が検出されると、処理はステップＳ４０３へ進む。なお、決定ボタン１３０の押下が検出されなければ、処理はステップＳ４０１に戻る。ステップＳ４０３において、演算処理部２２１は、タイマ２２４を起動することにより、決定ボタン１３０が押下されてからの経過時間（押下状態の継続時間）の計測を開始する。なお、タイマ２２４はたとえば０．１秒単位程度での計時が可能であることが好ましいが、これに限定されるものではない。
【００３２】
ステップＳ４０４において、演算処理部２２１は、決定ボタン１３０に対してなされた操作が電源オフ操作か否かを判定する。たとえば、演算処理部２２１は、上記第１の所定時間よりも短い第２の所定時間（たとえば０．５秒）にわたって決定ボタン１３０の押下操作が継続した場合に、演算処理部２２１は電源オフ操作が行われていると判定する。この判定で、電源オフ操作でないと判定された場合、すなわち、決定ボタン１３０の押下操作が第２の所定時間にわたって継続しなかった場合には、処理はステップＳ４１０に進む。ステップＳ４１０において、演算処理部２２１は、決定ボタン１３０に対する当該押下操作が、決定機能の実行であると判定し、これに対応した処理を行う。
【００３３】
ステップＳ４０５において、電源オフ操作が行われていると判定された場合は、処理はステップＳ４０６へ進む。ステップＳ４０６において、演算処理部２２１は、電源オフの操作中であることを示す電源オフ操作中表示を表示画面１０３に表示させる。電源オフ操作中表示については図５により後述する。そして、決定ボタン１３０の押下操作が継続している間、且つタイマ２２４により計測される経過時間が第１の所定時間に到達するまでの間、ステップＳ４０６による電源オフ操作中表示が行われることになる。電源オフ操作中表示が行われている間、すなわちタイマ２２４による経過時間が第２の所定時間と第１の所定時間の間であるときに、決定ボタン１３０が解放されると（押下操作が解除されると）、処理はステップＳ４０７からステップＳ４０１に戻る。この処理により、電源オフ操作中表示は消去され、通常画面の表示が再開される。こうして、女性体温計１００は決定ボタン１３０が押下される前の状態に戻り、決定ボタン１３０の操作は無視されたことになる。ステップＳ４０８でタイムアップと判定されると（すなわち、タイマ２２４により計時される経過時間が第１の所定時間を超えた場合）、演算処理部２２１は電源部２６０による電源供給を停止させる（ステップＳ４０９）。
【００３４】
図５は、電源オフの操作中表示の一例を示す図である。図５において、（ａ）は通常表示の例であり、図５の（ｂ）〜（ｅ）が電源オフ操作中表示である。ステップＳ４０６による電源オフ操作中表示は、上記第１の所定時間から上記第２の所定時間までの間で、決定ボタン１３０の押下操作が継続している場合に実行される。このとき、タイマ２２４による押下操作の継続時間の経過とともに、表示内容を（ｂ）〜（ｅ）のように切り替えていく。たとえば、決定ボタン１３０の押下開始から０．５秒間の押下操作の継続により電源オフ操作であるとことが判定されると、（ｂ）に示すようなインジケータの表示が開始される。そして、継続時間ｔが０．５秒＜ｔ≦１．０秒の間は（ｂ）の表示、１．０秒＜ｔ≦１．５秒の間は（ｃ）の表示、１．５秒＜ｔ≦２．０秒の間は（ｄ）の表示、２．０秒＜ｔ≦２．５秒の間は（ｅ）の表示というように表示が遷移し、インジケータが減少していく。このように、本実施形態では、（ｂ）〜（ｅ）の表示を経た後に、電源がオフ状態に移行する（図５の（ｆ））。
【００３５】
以上の実施形態によれば、決定ボタン１３０の押下操作が第１の所定時間にわたって継続させる電源オフ操作が行われたことを検出することで電源オフを実行する電子体温計において、電源オフ操作の最中には表示画面１０３に電源オフ操作中であることが明示される。したがって、ユーザは、電源をオフするために決定ボタン１３０を所定期間にわたって押下している間に、その操作が電源オフ操作として電子体温計によって認識されていることを確認できる。したがって、電源オフ操作が適切に行われているかといったユーザの不安感を払拭できるとともに、「長押し」による誤操作防止の効果を維持することができる。
【００３６】
なお、電源オフの機能を割り当てるボタンを決定ボタンとしたがこれに限られないことはいうまでもない。電源オフ機能と他の機能が割り当てられたスイッチを用いたものであれば、上記処理を適用できることは明らかである。ステップＳ４０５の判定では、当該スイッチに対する操作状態が上記第２の所定時間にわたって継続した場合に電源オフ操作が行われていると判定する。他方、当該スイッチに対する操作状態が第２の所定時間にわたって継続しなかった場合は、当該スイッチに割り当てられた他の機能を実行することになる（Ｓ４１０）。
【００３７】
また、上述した電源オフ操作中の表示は、電源オフ機能と他の機能が割り当てられたスイッチに限定されるものではなく、電源オフ専用のスイッチ有する電子体温計にも適用できる。この場合、電源オフ専用のスイッチが上記第１の所定時間にわたって継続して押下された場合に電源オフが実行され、当該所定時間にわたって上述したような電源オフ操作中表示が行われることになる。但し、この場合、電源オフ専用のスイッチであるので、当該スイッチに対する操作が電源オフを指示するものか他の機能を指示するものかを判定する必要はない。したがって、ステップＳ４０４，Ｓ４０５，Ｓ４１０は省略することができ、電源オフ専用のスイッチの押下操作を検出すると直ちに電源オフ操作と判定されて、直ちに電源オフ操作中表示を開始することができる。
【００３８】
また、上記実施形態では、電源オフ操作中表示を、決定ボタン１３０の押下操作の継続時間にしたがって変化させたが、電源オフ操作中表示は固定されたものであってもよい。たとえば、第２の所定時間から第１の所定時間までの間は、図５の（ｅ）に示す表示を行って、電源オフに移行するようにしてもよい。但し、図５の（ｂ）〜（ｅ）に示したように電源オフ操作中表示の内容を変化させたほうが、ユーザは電源オフの処理中であること、後どれくらい決定ボタン（電源ボタン）を押下しつづければよいか等をより明示的に示すことができるであろう。
【００３９】
また、OFF3→OFF2→OFF1といったように、カウントダウンにより長押し中であることを表示させることも考えられる。しかしながら、このような表示形態は、「OFF3」といったような表示がなされた時点でユーザが電源オフと勘違いして長押しを解除してしまい、却って混乱を招いてしまうことが本発明者らの検証により確認されている。これに対して、図５に示したインジケータの減少といったような、グラフィカルな表示の変化による電源オフ操作中の表示は、ユーザに電源オフ操作中であることを知らせることと、ユーザに当該操作（長押し）を維持させるのに適した表示形態であるが確認されている。また、本実施形態では、婦人体温計がもともと有している体温計測値のグラフ表示を行うための表示エレメント３０７を用いて電源オフ時のインジケータの表示を行うので、表示エレメントを追加する必要が無い。すなわち、電源オフ時に適したインジケータの表示を、部品を追加することなく実現できる。すなわち、上記実施形態では、女性用体温計に稀有重要な表示の一つであるグラフ表示と電源オフ時のインジケータ表示の表示エレメントを兼用することで、画面や本体のサイズの拡大を防ぎ、部品数（コスト）の増加を招くことなく、適切な電源オフ時の表示を実現している。
【符号の説明】
【００４０】
１００：女性体温計、１０１：本体ケース、１０２：金属キャップ、１０３：表示部、１０４：入力ボタン、１１１：左ボタン、１１２：右ボタン、１２１：上ボタン、１２２：下ボタン、１３０：決定ボタン
【図１】
0005536587.tif 000002
【図２】
0005536587.tif 000003
【図３】
0005536587.tif 000004
【図４】
0005536587.tif 000005
【図５】
0005536587.tif 000006